(57)【要約】【課題】簡単な操作で室内空気の湿度を所定量低くし、かつ自動的に、元の設定湿度の除湿運転状態に戻す。【解決手段】時刻ｔ＝０以前では、50％の設定湿度でかつ圧縮機の回転数3000rpmの通常の除湿運転モードにあり、操作リモコンでのパワフルボタンを操作すると、設定湿度が40％に切り換えられるとともに、これを達成すべき3600rpmの回転数で圧縮機を連続回転させるパワフル除湿運転が行なわれる。これにより、室内空気の湿度は設定湿度に急速に低下する。その後、所定期間Ｔ1経過すると、このパワフル除湿運転が解除され、設定湿度を元の50％とするとともに、圧縮機を、所定期間Ｔ2 だけ、回転数を3000rpmとして連続回転させ、室内空気の湿度が50％に近づくと、元の通常の除湿運転に復帰させる（Ｔ3）。【選択図】図７
2005024244.tif 000002
【特許請求の範囲】
【請求項１】
圧縮機，四方弁，室外熱交換器及び除湿運転時に冷却器として作用する熱交換器部分と再熱器として作用する熱交換器部分とを室内熱交換器を備え、冷房運転，暖房運転及び除湿運転を行なう空気調和機において、
冷房運転，暖房運転及び除湿運転に共通に用いる１つの操作ボタンを備えるとともに、
該冷房運転中に該操作ボタンが操作されることによって該冷房運転での設定温度を低下させ、設定された時間の経過後、該冷房運転での設定温度を該操作ボタンが操作される直前の設定温度に復帰させる冷房運転機能と、
該暖房運転中に該操作ボタンが操作されることによって該暖房運転での設定温度を上昇させ、設定された時間の経過後、該暖房運転での設定温度を該操作ボタンが操作される直前の設定温度に復帰させる暖房運転機能と、
該除湿運転中に該操作ボタンが操作されることによって該除湿運転での圧縮機の回転数を上昇させ、設定された時間の経過後、該除湿運転での該圧縮機の回転数を該操作ボタンが操作される直前の回転数に復帰させる除湿運転機能と
を備え、
除湿運転機能での該設定された時間を、該冷房運転機能や該暖房運転機能での該設定された時間よりも長くしたことを特徴とする空気調和機。
【発明の詳細な説明】
【技術分野】
【０００１】
本発明は、空気調和機に係り、特に、その除湿能力や冷房能力，暖房能力といった運転能力に関する。
【背景技術】
【０００２】
図９は従来の空気調和機での冷凍サイクルの一般的な構成を示す図であって、１０１は圧縮機、１０２は室外熱交換器、１０３は減圧器、１０４は室内熱交換器、１０９は四方弁である。
【０００３】
同図において、除湿運転や冷房運転の場合、室外熱交換器１０２は凝縮器として使用され、室内熱交換器は冷却器として使用される。
【０００４】
圧縮機１０１から出力される高温高圧の冷媒ガスは、凝縮器１０２で室外に熱を放出して液体となり、減圧装置１０３で圧力を下げられて冷却器１０４に送られる。この冷却器１０４では、冷媒が、室内の熱を奪って蒸発することにより、低圧ガスとなり、この低圧ガスが、冷房，除湿運転時の冷凍サイクルと暖房運転時の冷凍サイクルとを切り替える四方弁１０９を通り、圧縮機１０１に戻る。
【０００５】
なお、暖房運転の場合には、四方弁１０９により、室外熱交換器１０２が冷却器となり、室内熱交換器１０４が凝縮器となる冷凍サイクルが形成される。
【０００６】
除湿運転でも、冷房運転と同じ冷凍サイクルが構成され、冷却器１０４で室内の温度を奪うことにより、室内の空気中の水分を除去するようにしたものであるから、除湿運転であるにもかかわらず、室内温度も影響される。そこで、かかる室内温度の変化を抑制するために、水分の除去のために冷された空気を温めるようにした再加熱方式が知られている。
【０００７】
図１０はかかる空気調和機の室内機の基本構成を示す断面図であって、１０５は貫流フアン、１０６は湿った空気、１０７は水滴溜め、１０８は吹き出し空気、１１１は電熱器であり、１０４は図９と同様の冷却器１０４である。
【０００８】
図１０において、貫流ファン１０５が回転することにより、室内の湿った空気１０６が吸い込まれ、冷却器１０４で冷却凝縮されることにより、この空気１０６中の水分が水滴となって水滴溜め１０７に排出される。従来、一般には、この冷されて温度が下がった空気が、貫流ファン１０５により、吹き出し空気１０８として室内に吹き出されるのであるが、再加熱方式の空気調和機では、室内機の空気が通るところに電熱器１１１が設置されており、この電熱器１１１によって冷されて温度が下がった空気が再加熱され、吹き出し空気１０８として室内に吹き出される。
【０００９】
このような空気調和機において、その操作装置（例えば、リモコン）に複数の運転モ−ドに共通の操作ボタンを設け、使用者がこれを操作することにより、除湿運転や冷房運転では、目標温度を下げることによって夫々除湿量（除湿能力），冷房能力を増加させておりまた、暖房運転においては、目標温度を上げることにより、暖房能力を増加させている。
【００１０】
また、使用者の温冷感覚により、使用者が操作して、設定温度を所定温度変化させる温冷感ボタンを設けた温冷入力スイッチを操作装置に備えた空気調和機もある（例えば、特許文献１参照）。
【特許文献１】特開昭６２−７５２号公報
【発明の開示】
【発明が解決しようとする課題】
【００１１】
ところで、室内が湿っぽく感じられる場合、あるいは風呂上りなどで室内をより乾燥した状態にしたい場合などでも、従来の空気調和機では、除湿運転が除湿能力一定の状態で行なわれるために、室内を希望した乾燥状態にすることができなかった。また、上記従来の空気調和機のように、目標温度を下げることにより、除湿能力を増加させて湿度を下げる方法もあるが、室温も下がってしまい、湿度だけを下げるということができなかった。
【００１２】
また、暖，冷房の場合も、目標温度を変えることにより、運転能力を高めて好みの室温とすることができるが、一旦目標温度を設定して運転能力を高めると、再度目標温度の変更操作をしない限り、設定された目標温度に対なる暖，冷房運転が行なわれる。そこで、例えば、夏の時期、外出していた人が帰宅して、目標温度をこれまでよりも低くするように、リモコンの温度操作ボタンを操作すればよいが、ある程度の時間が経過すると、寒く感じるような場合がある。このような場合、目標温度を高めなければ、そのまま寒く感じる状態が続くことになり、これを回避するためには、リモコンの温度操作ボタンを再度操作しなければならないという手間がかかることになる。
【００１３】
本発明の目的は、かかる問題を解消し、操作の手間を軽減して使用者の好みの室内環境を迅速に作り出すことができるようにした空気調和機を提供することにある。
【課題を解決するための手段】
【００１４】
上記目的を達成するために、本発明は、圧縮機，四方弁，室外熱交換器及び除湿運転時に冷却器として作用する熱交換器部分と再熱器として作用する熱交換器部分とを室内熱交換器を備え、冷房運転，暖房運転及び除湿運転を行なう空気調和機であって、冷房運転，暖房運転及び除湿運転に共通に用いる１つの操作ボタンを備えるとともに、該冷房運転中に該操作ボタンが操作されることによって該冷房運転での設定温度を低下させ、設定された時間の経過後、該冷房運転での設定温度を該操作ボタンが操作される直前の設定温度に復帰させる冷房運転機能と、該暖房運転中に該操作ボタンが操作されることによって該暖房運転での設定温度を上昇させ、設定された時間の経過後、該暖房運転での設定温度を該操作ボタンが操作される直前の設定温度に復帰させる暖房運転機能と、該除湿運転中に該操作ボタンが操作されることによって該除湿運転での圧縮機の回転数を上昇させ、設定された時間の経過後、該除湿運転での該圧縮機の回転数を該操作ボタンが操作される直前の回転数に復帰させる除湿運転機能とを備え、除湿運転機能での該設定された時間を、該冷房運転機能や該暖房運転機能での該設定された時間よりも長くしたものである。
【発明の効果】
【００１５】
本発明によると、操作装置に設けられている能力増加手段を操作するだけで、除湿運転での除湿能力を一定量だけ増加させることができるので、従来の空気調和機での設定温度の切換えによる場合に比べ、設定温度など種々の条件を一切考慮する必要がなく、機械的に能力増加手段を操作するだけでよく、し易い操作で室内空気の湿度を低くすることができる。
【００１６】
また、本発明によると、かかる除湿能力が増加された除湿運転状態が、所定時間実行された後、自動的に解除されて、元の除湿運転状態に復帰するものであるから、かかる除湿能力が増加された一時的な除湿運転状態を最適とする湿度が得られる元の除湿運転に復帰させるための操作が不要となり、操作が簡略化するとともに、使用者には、元の除湿運転に復帰させるということを意識させる必要もなく、使用者にとっては非常に使い易いものとなる。
【００１７】
さらに、本発明によると、除湿能力が増加された除湿運転状態の解除から直接元の除湿運転状態に移行せず、所定期間圧縮機を停止させないようにした期間を介在させているので、除湿能力が増加された除湿運転が解除し、このときの湿度が低くとも、圧縮機が回転して徐々に元の除湿運転での湿度状態に近づくことになり、除湿能力が増加された除湿運転から元の除湿運転状態に移行する過程で、湿度が急激に変化することがない。
【００１８】
さらに、本発明によると、除湿や冷房，暖房運転での運転能力を増加させるのに共通に上記の能力増加手段を用いることができ、操作が非常にし易くなる。
【００１９】
さらに、本発明によると、かかる能力増加手段の操作によって実行される運転能力が増加した除湿運転や暖房運転，冷房運転などの各運転モードは、所定期間経過後、自動的に解除されて、元の運転能力の運転モードに復帰するものであるから、かかる運転能力が増加された一時的な運転モードを、最適とする湿度あるいは室内温度が得られる元の運転モードに復帰させるための操作が不要となり、操作が簡略化するとともに、使用者には、元の運転能力の運転モードに復帰させるということを意識させる必要もなく、使用者にとっては非常に使い易いものとなる。
【００２０】
さらに、本発明によると、運転能力が増加された運転モードの解除から直接元の運転能力の運転モードに移行せず、所定期間圧縮機を停止させないようにした期間を介在させているので、運転能力が増加された運転モードが解除され、このときの湿度が低くとも、あるいは室内温度が設定温度からずれていても、圧縮機が回転して徐々に元の運転能力の運転モードでの湿度あるいは室内温度に近づくことになり、運転能力が増加された運転モードから元の運転能力の運転モードへの移行過程で、湿度あるいは室内温度が急激に変化することがない。
【発明を実施するための最良の形態】
【００２１】
以下、本発明の実施形態を図面を用いて説明する。
【００２２】
図１は本発明による空気調和機の一実施形態を示すブロック図であって、１は空気調和機の本体（以下、単に、本体という）、２は操作リモコン、３はマイクロコンピュ−タ（以下、マイコンという）、４は受信回路、５は室温検出器、５'は外気温検出器、６は湿度検出器、７は室内ファンモ−タ、８は室外ファンモ−タ、９は圧縮機、１０はＣＰＵ（中央処理ユニット）、１１ａはＲＡＭ、１１ｂはＲＯＭ、１２は電源、１３はパワフルボタン、１４は運転／停止ボタン、１５は送信回路、１６は電池である。
【００２３】
同図において、本体１はそれ全体の制御を行なうマイコン３を中枢とし、操作リモコン２からの信号を受信する受診回路４と、本体１の周辺の室温を検出する室温検出器５や湿度を検出する湿度検出器６、室外の温度を検出する外気温検出器５'と室内ファンモ−タ７、室外ファンモ−タ８、圧縮機９などとからなっており、電源１２からの電力が供給される。
【００２４】
マイコン３は、ＣＰＵ１０と、操作リモコン２から指定される運転モ−ドに応じて設定される温度や湿度、風速などを表わす運転情報を記憶する書替え可能なＲＡＭ１１ａ、後述するパワフル運転に使用する各種のデ−タを記憶した読出し専用のＲＯＭ１１ｂを有している。ここでは、運転モ−ドとして除湿運転、冷房運転、暖房運転を指定することができ、各運転モ−ドでは、これら温度や湿度，風速のうちの２以上の組合せによって指定される。
【００２５】
操作リモコン２は、指定される運転モードでの運転開始や運転停止を指示するための運転／停止ボタン１４や、実行中の運転モード（除湿，暖房，冷房運転モード）での運転能力（除湿，暖房，冷房夫々の運転モードに対し、除湿能力，暖房能力，冷房能力という）を予め定められた量だけ高めるためのパワフルボタン１３などの操作ボタンが設けられている。
【００２６】
このパワフルボタン１３は、本体１が所望のモードで運転を実行しているとき（即ち、運転モードで）、有効であり、除湿運転モードにあるときにこのパワフルボタン１３を押すと、予め決められた量だけ除湿能力を増加させて除湿量を高め、室内の湿度を下げる。暖房運転モードにあるときにこのパワフルボタン１３を押すと、予め決められた量だけ暖房能力を増加させ、室内温度を一定温度だけ高める。冷房運転モードにあるときにこのパワフルボタン１３を押すと、予め決められた量だけ冷房能力を増加させ、室内温度を一定温度だけ低める。
【００２７】
なお、かかるパワフルボタン１３の操作による運転能力の増加期間は予め定められた一定の期間であり、この期間が経過すると、もとのパワフルボタン１３が押される直前の運転モード，運転能力の状態に復帰する。
【００２８】
かかる操作ボタンの操作に応じた運転情報などは、送信回路１５から本体１に送信される。また、この操作リモコン２は、電池１６を内蔵しており、これから電力が供給される。
【００２９】
図２は図１における操作リモコン２の操作部の一具体例を示す平面図であって、２ａは蓋、１７は除湿ボタン、１８は表示部、１９は室温設定ボタン、２０はおやすみタイマー運転ボタン、２１は風速切換ボタン、２２は自動風速上下ボタン、２３は時刻ボタン、２４はリセットスイッチ、２５は入タイマーボタン、２６は切タイマーボタン、２７は予約ボタン、２８は取消ボタン、２９は日付・現在時刻ボタン、３０は運転切換ボタンであり、図１に対応する部分には同一符号を付けている。
【００３０】
図２（ａ）は操作リモコン２の蓋２ａが閉じた状態を示しており、このとき、操作リモコン２の表面には、上記のパワフルボタン１３，運転／停止ボタン１４のほかに、除湿運転を開始させるための除湿ボタン１７，目標の室温を設定するための室温設定ボタン１９及び入りタイマーボタン２５や切りタイマーボタン２６（図２（ｂ））と組み合わせて使用することにより、就寝後、セットされた時間で自動的に運転を停止したり、目覚め前のセットされた時刻に自動的に運転を開始させるためのおやすみタイマー運転ボタン２０が設けられ、また、設定された運転モードやセットされた運転条件などを表示する表示部１８も設けられている。
【００３１】
蓋２ａを開くと、図２（ｂ）に示すように、くぼみの中に、室内フアン（貫流フアン）の風速を選択できるようにした風速切換ボタン２１や上下風向板を制御して好みに応じて風向きを変えさせるための自動風向上下ボタン２２、日付・現在時刻ボタン２９とともに操作して、カレンダーや時刻を変更，セットするための時刻ボタン２３、動作を正常にするためのリセットスイッチ２４、タイマー予約をするための予約ボタン２７、タイマー予約の取消を行なうための取消ボタン２８、運転モードの切換を行なうための運転切換ボタン３０などが設けられている。
【００３２】
図３は図１に示した実施形態での冷凍サイクルの一具体例を示す構成図であって、１０４ａ，１０４ｂは室内熱交換器、１１０は電磁弁であり、図９に対応する部分には同一符号を付けて重複する説明を省略する。
【００３３】
同図において、室内熱交換器は２つの熱交換器１０４ａ，１０４ｂに分割されて、これらが電磁弁１１０で結合されており、冷房運転時には、室内熱交換器１０４ａ，１０４ｂがともに冷却器、室外熱交換器１０２が放熱器として夫々動作し、また、暖房運転時には、室内熱交換器１０４ａ，１０４ｂがともに放熱器、室外熱交換器１０２が冷却器として夫々動作する。さらに、除湿運転時には、冷房運転時に冷却器として作用させていた室内熱交換器を１０４ａが再熱器、室内熱交換器１０４ｂが冷却器として夫々使用され、これ以外の部分は、図９で示した従来の空気調和器での冷房運転の冷凍サイクルと同様である。
【００３４】
除湿運転では、冷房運転と同様に、冷媒が矢印で示すように流れ、冷却器１０４ｂで室内から吸い込んだ空気を冷却し、これを再熱器１０４ａで再熱する。これにより、室温を低下させずに除湿を行なうことができるようにしている。
【００３５】
図４は図１に示した本体１の室内機側の一具体例を示す断面図であって、図１０及び図３に対応する部分には同一符号をつけている。
【００３６】
同図において、室内機では、再熱器１０４ａが上側に、冷却器１０４ｂが下側に各々配置されている。室内ファン１０５によって吸い込まれた空気１０６の一部は冷却器１０４ｂを通って冷され、この空気１０６に含まれる水分が冷却凝縮されて水滴となり、水滴溜め１０７に溜められる。これにより、冷却器１０４ｂを通った空気が除湿される。しかし、この空気は冷されたため、温度が低下している。
【００３７】
一方、室内ファン１０５によって吸い込むれた空気１０６の残りのものは、再熱器１０４ａを通って温められ、冷却器１０４ｂを通って冷された空気と混合される。このため、冷却器１０４ｂを通って空気は暖められ、従って、室内機から室内に吐出される空気１０８は、温度の低下が抑制されて相対湿度がさがった低湿度の空気となる。
【００３８】
次に、図１に示した実施例の動作を図５及び図６を用いて説明する。
【００３９】
まず、図５において、本体１に電源１２が接続されて電力が供給されると、マイコン３の初期化、即ち、ＣＰＵ１０の初期化とＲＡＭ１１ａの内容クリアなどの初期化や受信回路４の初期化が行なわれ（ステップ２００）、受信回路４に操作リモコン２からの受信信号があるまで待機しており（ステップ２０１）、受信信号があれば、この受信信号の種類を判別する（ステップ２０２）。
【００４０】
そして、受信信号が運転／停止ボタン１４（図１，図２（ａ））の操作による運転停止信号であると判断した場合には、空気調和機が運転中であるか否かを判別し（ステップ２０３）、運転中であれば、この運転を停止させて（ステップ２０４）ステップ２０１に戻る。
【００４１】
また、受信信号が運転／停止ボタン１４の操作による運転開始信号及び運転モ−ド情報（上記の除湿運転や冷房運転，暖房運転などを指定する情報）であると判別された場合には（ステップ２０２）、本体１の室温検出器５や外気温検出器５'，湿度検出器６から温度や湿度を読み込む（ステップ２０５）。そして、受信回路４から運転開始信号とともに受信される設定温度などのデ−タからなる運転モ−ド情報を読み込み（ステップ２０６）、この運転モ−ド情報をＲＡＭ１１ａに書き込む（ステップ２０７）。
【００４２】
次いで、この運転モ−ド情報の内容からいずれの運転モード（除湿運転、冷房運転、暖房運転のいずれか）であるかを判別し（ステップ２０８）、この判別結果に応じて圧縮機９や室内ファンモ−タ７，室外ファンモ−タ８を立ちあげる（ステップ２０９）。次に、これら室温，湿度と上記の設定温度，設定湿度との差から圧縮機９や室内モ−タ７，室外モ−タ８の回転数を算出し（ステップ２１０）、これら圧縮機９，室内ファンモ−タ７，室外ファンモ−タ８に夫々算出した回転数で回転するように指令を与える（ステップ２１１）。しかる後、ステップ２０１に戻る。
【００４３】
その後、受信信号がない限り、ステップ２０１，２１０，２１１の一連の処理が繰り返され、室温と湿度の変化に応じて圧縮機９や室内モ−タ７，室外モ−タ８の回転数が制御されながら、指定された運転モードが実行される。
【００４４】
なお、ステップ２０４で運転が停止されると、次に受信信号があるまでステップ２０１で待機する。
【００４５】
指定された運転モードの実行中、操作リモコン２のパワフルボタン１３（図１，図２（ａ））が操作され、これに対するデータが本体１で受信されると（ステップ２０２）、図６に示す動作が実行される。次に、このパワフルボタン１３が操作されたときの動作を、図６により説明する。
【００４６】
図６において、いま、除湿運転中にパワフルボタン１３が操作されたとすると（ステップ３００）、ＣＰＵ１０は、圧縮機９をパワフルボタン１３の操作時に実行中の通常の除湿運転での回転数（ここでは、3000rpmとする）よりも高い予めＲＯＭ１１ｂにセットされている回転数（ここでは、3600rpmとする）で回転するように指令し（ステップ３０１）、さらに、設定湿度を通常の除湿運転での設定湿度（ここでは、50％とする）よりも低い予めＲＯＭ１１ｂにセットされている設定湿度（ここでは、40％とする）に設定変更する（ステップ３０２）。
【００４７】
これにより、圧縮機９は通常の除湿運転時よりも高い3600rpmの回転数で回転し、除湿量が増加して除湿能力が高まり、設定湿度が50％から40％に変更になるために、室内空気の湿度が通常の除湿運転時よりも低くなる。かかる除湿運転を、以下、パワフル除湿運転という。
【００４８】
このとき、図３，図４に示す冷凍サイクルにおいては、冷却器１０４ｂの冷却力が増大するとともに、再熱器１０４ａの再熱量も増大し、このため、室内機から吹き出される空気１０８は、除湿能力が高まっても、その温度が低下することがなく、室温の低下もなくて、湿度だけが低下する。
【００４９】
このようにして、パワフルボタン１３を操作するだけで、室内空気の湿度を所定量だけ低下させることができ、しかも、圧縮機９の回転数を増加させて除湿能力を高めるものであるから、急激に湿度を低下させることができ、簡単な操作でもって、低湿度の室内環境を即座に得ることができる。先の従来技術のように設定温度を変更して湿度を低下させる場合には、設定温度を度の程度変更したらよいかという使用者の判断を必要とするが、この実施形態では、かかる判断は全く不要であって、単にパワフルボタン１３を操作するだけでよく、操作が非常に簡単になる。
【００５０】
図６に戻って、以上のようにしてパワフル除湿運転が実行されるが、ＣＰＵ１０は、これが実行されてから予めＲＯＭ１１ｂにセットされている時間（ここでは、120minとする）経過すると（ステップ３０３）、パワフル除湿運転を解除するための処理を行ない（ステップ３０４）、これに基づいて、圧縮機９の回転数を元の 3000rpmに戻し（ステップ３０５）、また、設定湿度も元の50％に戻して（ステップ３０６）、パワフル除湿運転を自動的に解除する。
【００５１】
そして、このパワフル除湿運転の解除後、所定時間の間（ここでは、20minとする）、圧縮機９が停止するのを禁止し、3000rpmで回転させる（ステップ３０７）。この20minが経過すると、図５のステップ２１０に移行し、通常の除湿運転に復帰する。
【００５２】
このようにして、パワフル除湿運転を解除しても、室内空気の湿度は急激に高まることがなく、室内空気の湿度が40％から徐々に50％に戻っていく。
【００５３】
通常の除湿運転は、一般に、室内で使用者が最適な湿度と感じるような環境を作り出すように、湿度の設定がなされるものであり（この場合、50％）、これに対し、パワフル除湿運転は、例えば、大勢人が居て室内が湿っぽく感じるときや外室から帰宅して汗っぽいときなどで要求される特殊な環境を作り出すためのものであり、通常、かかる環境を長時間維持すると、快適性が損なわれるものである。この実施形態では、上記のように、かかるパワフル除湿運転に時間的な制限を設けることにより、自動的にパワフル除湿運転が解除されて通常の除湿運転に復帰し、このパワフル除湿運転から通常の除湿運転への切換えに、使用者の操作の手間を省いている。
【００５４】
なお、パワフルボタン１４を再操作しても上記と同様にパワフル運転を解除することができる。これは以後に述べる冷房運転及び暖房運転でのパワフル運転についても同じである。
【００５５】
また、パワフル運転を解除して（ステップ３０４〜３０６）直ちに通常の除湿運転に移行すると（図５のステップ２１０）、湿度制御が行なわれ、このとき、パワフル除湿運転によって湿度が50％よりも低い40％になっているから、当然、ＣＰＵ１０は圧縮機９を停止させてしまう。このため、室内空気の湿度が急激に上昇し、使用者に急に湿度が高くなったような感じを起こさせることになる。このため、この実施形態では、図６に示すステップ３０７を設け、パワフル除湿運転の解除後も、ほぼ20min湿度制御なしで3000rpmの回転数で圧縮機９を回転させ、急激な湿度の上昇を抑えるようにしているのである。ほぼ20minかかる運転を行なえば、室内空気の湿度は設定湿度の50％に近づいており、この間での湿度の上昇は使用者に不快感を生じさせないし、また、通常の除湿運転に復帰して湿度制御が行なわれても、湿度の急激な変化はない。
【００５６】
図６において、図５でのステップ２０１，２０２，２１０，２１１による通常の冷房運転を実行中にパワフルボタン１３が操作されたことによるパワフル運転情報であると（ステップ３００）、ＣＰＵ１０は、予めＲＯＭ１１ｂにセットされている設定温度シフト量（ここでは、２℃とする）だけ現在の設定温度からシフトして新たな設定温度とする（ステップ３０８）。例えば、パワフルボタン１３の操作前の通常の冷房運転での設定温度を２７℃とすると、新たな設定温度を              27℃−2℃＝25℃
とする。これとともに、ＣＰＵ１０は、室内温度がこの新たな設定温度となるように、圧縮機９の回転数を、連続回転で室温が設定温度に設定，維持されるような回転数に増加させて冷房能力を高める（ステップ３０９）。そして、室内温度がこの設定温度シフト量の2℃だけ低下して新たな設定温度に達すると、この新たな設定温度に室温が保たれるように、温度制御を行なう。かかる冷房能力を高めた冷房運転を、以下、パワフル冷房運転という。
【００５７】
かかるパワフル冷房運転の実行後、予めＲＯＭ１１ｂにセットされている時間（ここでは、60minとする）経過すると（ステップ３１０）、ＣＰＵ１０は、このパワフル冷房運転を解除する処理を行ない（ステップ３１１）、設定温度をもとの通常の冷房運転時の設定温度（上記の例では、27℃）に戻し（ステップ３１２）、これに応じて、圧縮機９の回転数を低下させ（ステップ３１３）、パワフル冷房運転を自動的に解除する。そして、このパワフル冷房運転の解除があってから所定時間（ここでは、20minとする）経過するまでは、温度制御による圧縮機９の停止を禁止し（ステップ３１４）、しかる後、図５のステップ２１０に移行して通常の冷房運転に復帰する。
【００５８】
このパワフル冷房運転も、その前に設定されていた通常の冷房運転に対し、例えば、風呂上りのときや、人が動き廻るなどして、設定されている通常冷房運転では室内が暑く感じる場合など、特殊な状態で要求される一時的な室内環境を作り出すためのものであり、これをそのまま続けたのでは、室内が冷え過ぎたままの状態となって、適度な環境，快適な環境ではない。このため、当然、使用者としては、ある時間このような冷房能力が増加した冷房運転をした後、元の冷房運転状態に戻したくなるが、この実施形態では、このパワフル冷房運転に時間的な制限を設けることにより、使用者の操作の手間を省いて、自動的にもとの通常冷房運転に復帰するようにしているのである。
【００５９】
また、ステップ３１４は、除湿運転でのステップ３０７の場合と同様の理由でも受けられたものであって、設定温度を元の設定温度に高めてパワフル冷房運転が解除されて直ちに通常冷房運転に移行すると、温度制御が働いて、圧縮機９が停止してしまい、室内温度が急激に上昇してしまうので、これを防止するために設けたものである。
【００６０】
このようにして、冷房運転の場合でも、パワフルボタン１３を操作するだけという簡単な操作でもって、冷房能力を高めて一時的に室内温度を所定量（この場合、2℃）低下させ、所定時間経過後、自動的に元の通常冷房運転状態に復帰させることができ、従来の空気調和機では、設定温度の切換え操作により冷房能力を強めた場合、元の冷房能力の運転に戻すときには、再度設定温度の切換え操作が必要であるが、この実施形態では、かかる操作が不要となって、操作の簡略化とともに、使用者は元の運転状態に戻することは意識する必要はまったくない。
【００６１】
なお、パワフル冷房運転期間を60minにしたのは、この程度であれば、設定温度を2℃下げたときに、室内の壁温度も充分低くなり、設定温度を2℃上げてもとの設定温度に戻し、通常の冷房運転に復帰する場合も、使用者が暑さを感じることがないと考えられるためである。
【００６２】
また、上記の動作に加えて、パワフル冷房運転中、パワフルボタン１３を操作しても、このパワフル冷房運転を解除して通常の冷房運転（図５のステップ２１０）に移行するようにしてもよい。この場合、ステップ３２３の動作を行なわず、直接通常の冷房運転へ移行するようにしてもよい。
【００６３】
図６において、図５でのステップ２０１，２０２，２１０，２１１による通常の暖房運転を実行中にパワフルボタン１３が操作されたことによるパワフル運転情報であると（ステップ３００）、ＣＰＵ１０は、予めＲＯＭ１１ｂにセットされている設定温度シフト量（ここでは、3℃とする）だけ現在の設定温度を高めて新たな設定温度とする（ステップ３１５）。例えば、通常の暖房運転時の設定温度を23℃とすると、新たな設定温度を
23℃＋3℃＝26℃
とする。そして、これにともなって、ＣＰＵ１０は、圧縮機９の回転数を、連続回転で室温が設定温度に設定，維持されるような回転数に増加させ（ステップ３１６）、室外フアンモータの回転数を増加させる（ステップ３１７）。これにより、暖房能力が増加して室温が上昇して新たな設定温度26℃となる。かかる暖房運転を、以下、パワフル暖房運転という。
【００６４】
なお、上記のようにしてパワフル暖房運転が開始すると、この開始から所定時間（ここでは、20minとする）、除霜動作（デフロスト）を禁止する（ステップ３１８）。通常、暖房運転を開始したり、暖房運転で設定温度を高めたりして暖房能力を高めた場合、あるいは所定期間毎に、室外熱交換器で生ずる霜を除くために、冷凍サイクルを一時的に冷房運転と同様の状態とし、この霜を溶かす除霜動作を行なう（なお、この場合には、室内フアンは停止させて、室内温度が下がらないようにする）。しかし、パワフル暖房運転でこのような除霜動作を行なうと、この間暖房運転が停止して室温が低下する。これを防止するために、ステップ３１８が設けられている。
【００６５】
ＣＰＵ１０は、パワフル暖房運転を開始してから予めＲＯＭ１１ｂにセットされている時間（ここでは、90minとする）経過すると（ステップ３１９）、このパワフル暖房運転を自動的に解除する処理を行ない（ステップ３２０）、設定温度を元の通常の暖房運転での設定温度（上記の例では、23℃）に戻し（ステップ３２１）、これとともに、圧縮機９の回転数は低下させて（ステップ３２２）、パワフル暖房運転を解除する。そして、このパワフル冷房運転の解除があってから所定時間（ここでは、20minとする）経過するまでは、温度制御による圧縮機９の停止を禁止し（ステップ３１４）、しかる後、図５のステップ２１０に移行して通常の暖房運転に復帰する。
【００６６】
このパワフル暖房運転も、通常の暖房運転に対し、例えば、冬の時期に外出から帰宅して身体が冷えているときや、暖房運転を開始する場合に早く室内を温めたい場合など、特殊な状態で要求される一時的な室内環境を作り出すためのものであり、これをそのまま続けたのでは、室内が温まり過ぎたままの状態となって、適度な環境，快適な環境ではない。このため、当然、使用者としては、ある時間このような暖房能力が増加した暖房運転をした後、適度に暖房される運転状態に戻したくなるが、この実施形態では、このパワフル暖房運転に時間的な制限を設けることにより、使用者の操作の手間を省いて、自動的に通常暖房運転に移行，復帰するようにしているのである。
【００６７】
また、ステップ３２３は、除湿運転でのステップ３０７の場合と同様の理由でも受けられたものであって、設定温度を元の設定温度に低めてパワフル暖房運転が解除されて直ちに通常暖房運転に移行すると、温度制御が働いて、圧縮機９が停止してしまい、室内温度が急激に下降してしまうので、これを防止するために設けたものである。
【００６８】
このようにして、暖房運転の場合でも、パワフルボタン１３を操作するだけという簡単な操作でもって、暖房能力を高めて一時的に室内温度を所定量（この場合、3℃）上昇させ、所定時間経過後、自動的に元の通常暖房運転状態に復帰させることができ、従来の空気調和機では、設定温度の切換え操作により暖房能力を強めた場合、元の暖房能力の運転に戻すときには、再度設定温度の切換え操作が必要であるが、この実施形態では、かかる操作が不要となって、操作の簡略化とともに、使用者は元の運転状態に戻することは意識する必要はまったくない。
【００６９】
なお、パワフル暖房運転期間を90minにしたのは、この程度であれば、設定温度を3℃上げたときに、室内の壁温度も充分温まり、設定温度を3℃下げてもとの設定温度に戻し、通常の暖房運転に復帰する場合も、使用者が肌寒さを感じることがないと考えられるためである。
【００７０】
また、上記の動作に加えて、パワフル暖房運転中、パワフルボタン１３を操作しても、このパワフル暖房運転を解除して通常の暖房運転（図５のステップ２１０）に移行するようにしてもよい。この場合、ステップ３２３の動作を行なわず、直接通常の暖房運転へ移行するようにしてもよい。
【００７１】
図７はパワフル除湿運転とそれから通常除湿運転への移行での圧縮機の動作と湿度の変化を示す図である。
【００７２】
同図において、期間Ｔ1は図６でのステップ３０３で設定されるパワフル除湿運転の運転期間（＝120min）であり、期間Ｔ2は図６でのステップ３０７で設定される圧縮機９の停止禁止期間（＝20min）であり、期間Ｔ3は通常の除湿運転の運転期間である。また、Ａは室内空気の湿度の変化を示し、Ｂは圧縮機９の回転数の変化を示す。
【００７３】
時刻ｔ＝０で設定湿度50％の通常の除湿運転から設定湿度40％のパワフル除湿運転に切り換わると、圧縮機９の回転数Ｂは3000rpmから3600rpmに切り換わり、室内空気の湿度Ａは50％から急激に低下した後、緩やかに低下して40％に到達する（但し、在室人員が多い場合や湿度が50％になったばかりなどの放湿量が多い場合には、湿度の低下は緩やかであり、40％になるまでに多くの時間を要し、40％に達しない場合もある）。このパワフル除湿運転が期間Ｔ1（＝120min）だけ行なわれると、このパワフル除湿運転が解除され、設定湿度が50％に変更されるとともに、圧縮機９は、その回転数が通常の除湿運転時の回転数3000rpmに切り換えられて、連続回転される。この通常の除湿運転に切り換わると、人間の発汗や呼吸，壁や家具からの放湿が影響して、室内空気の湿度Ａが徐々に上昇する。かかる運転状態が期間Ｔ2（＝20min）だけ続くと、温度制御による通常除湿運転に切り換わり（期間Ｔ3）、室内空気の湿度Ａは50％の設定湿度まで徐々に上昇していく。
【００７４】
パワフル冷房運転やパワフル暖房運転でも、これと同様の傾向をなしている。
【００７５】
図８は通常の暖房運転とパワフル暖房運転とでの室内の温度分布を示す図であって、１ａは本体１の室内機を示し、同図（ａ）は設定温度を24℃としたときの通常の動作運転の安定状態の場合を、同図（ｂ）は設定温度をこれより3℃高い27℃としたときのパワフル運転の開始後30min経過した場合を夫々示している。
【００７６】
一般に、暖房運転の場合、室内機１ａでは、温められた空気を直下の床面の方向に吹き出すようにしており、このため、図８（ａ）に示すように、足元では設定温度よりも温められるが、全体として、室内が設定温度に温められる。
【００７７】
図８（ａ）に示す通常の暖房運転状態でパワフルボタン１３を操作し、パワフル暖房運転状態とすると、暖房能力が増加するため、図８（ｂ）に示すように、室内温度が設定温度まで上昇するが、これとともに、床面の設定温度よりも高い領域が広がる。通常の暖房運転の場合には、図８（ａ）から明らかなように、床面でも、室内機１ａに近い部分で温度が高く、これから離れると、温度が低くなって設定温度に近い温度となる。
【００７８】
以上のように、この実施形態では、除湿や冷房，暖房運転中にパワフルボタン１３を押すことにより、温度制御を行なわずに、圧縮機９を連続回転させて除湿能力や冷房能力，暖房能力が増加したパワフル除湿運転やパワフル冷房運転，パワフル暖房運転を行なうので、設定温度を切換え操作して除湿能力や冷房能力，暖房能力を増加させる従来の空気調和機に比べ、スピーディに室内空気の湿度を低下させることができるし、室内温度を所定温度低下させることができるし、室内温度を所定温度高めることができ、使用者の一時的に必要とする室内環境を迅速に実現することができる。
【００７９】
また、各運転モードに対して、かかるパワフル運転モードを共通の操作ボタンで設定することが可能であるから、操作がし易くなり、しかも、設定されたパワフル運転モードは、予め設定された時間が経過すると、自動的に解除されてもとの運転モードに戻るから、かかる一時的に必要としたパワフル運転モードが必要でなくなったときに使用者が行なう元の運転モードへの切換え操作が不要となり、その操作の手間を省くことになるし、また、使用者としても、元の運転モードへの切換えを意識しなくともよくなる。
【００８０】
なお、以上の説明では、具体的に数値例を示したが、これは実施形態の説明の便宜上示したに過ぎず、本発明はかかる数値によって限定されるものではない。
【図面の簡単な説明】
【００８１】
【図１】本発明による空気調和機の一実施形態を示すブロック図である。
【図２】図１における操作リモコンの一具体例を示す平面図である。
【図３】図１に示した実施形態での冷凍サイクルを示す図である。
【図４】図１に示した実施形態での室内機を示す断面図である。
【図５】図１に示した実施形態の全体制御動作を示すフロ−チャ−トである。
【図６】図１に示した実施形態でのパワフルボタンを操作したときの制御動作を示すフロ−チャ−トである。
【図７】図１に示した実施形態でのパワフル除湿運転と通常の除湿運転とこれらの移行過程での湿度と圧縮機の回転数とを示す図である。
【図８】図１に示した実施形態での通常の暖房運転とパワフル暖房運転での室内の温度分布を示す図である。
【図９】従来の空気調和機の冷凍サイクルの一例を示す図である。
【図１０】従来の空気調和機の室内機の一例を示す断面図である。
【符号の説明】
【００８２】
１  空気調和機の本体
２  操作リモコン
３  マイコン
４  受信回路
５  室温検出器
５’  外気温検出器
６  湿度検出器
７  室内ファンモ−タ
８  室外ファンモ−タ
９  圧縮機
１０  ＣＰＵ
１１ａ  ＲＡＭ
１１ｂ  ＲＡＭ
１２  電源
１３  パワフルボタン
１４  運転／停止
１５  送信回路
１６  電池
１０１  圧縮機
１０２  凝縮器
１０３  減圧装置
１０４ａ  再熱器
１０４ｂ  冷却器
１０５  貫流ファン
１０６  空気
１０７  水滴溜め
１０８  空気
１０９  四方弁
１１０  電磁弁
【図１】
2005024244.tif 000003
【図２】
2005024244.tif 000004
【図３】
2005024244.tif 000005
【図４】
2005024244.tif 000006
【図５】
2005024244.tif 000007
【図６】
2005024244.tif 000008
【図７】
2005024244.tif 000009
【図８】
2005024244.tif 000010
【図９】
2005024244.tif 000011
【図１０】
2005024244.tif 000012